(57)【特許請求の範囲】
【請求項１】
シャーシと、前記シャーシの内部に前後方向へスライド可能に支持されたスライド部材と、前記シャーシの前方に配置されたディスプレイ本体とを備え、前記スライド部材のスライド動作に連動して前記ディスプレイ本体が傾斜姿勢を変化させるように傾動する可動ディスプレイ装置において、
前記シャーシの上側に設けられた上部軸支部と、前記シャーシの下側に設けられた下部軸支部と、前記ディスプレイ本体の上側に設けられて前記上部軸支部に係脱可能な上側被軸止部と、前記ディスプレイ本体の下側に設けられて前記下部軸支部に係脱可能な下側被軸止部と、前記ディスプレイ本体の回動支点を第１軸支状態と第２軸支状態に切り換え可能な支点切換機構とを備えると共に、前記上側被軸止部と前記下側被軸止部の中間位置で前記スライド部材の前端部が前記ディスプレイ本体に回転可能に連結されており、
前記ディスプレイ本体は、前記第１軸支状態で前記下側被軸止部を前記下部軸支部から離脱させた状態で前記上側被軸止部を前記上部軸支部に係合させ、前記第２軸支状態で前記上側被軸止部を前記上部軸支部から離脱させた状態で前記下側被軸止部を前記下部軸支部に係合させることを特徴とする可動ディスプレイ装置。
【請求項２】
請求項１の記載において、前記支点切換機構は中間状態を経由して前記第１軸支状態と前記第２軸支状態に切り換え可能となっており、この中間状態で前記ディスプレイ本体が前記上側被軸止部を前記上部軸支部に係合させると共に前記下側被軸止部を前記下部軸支部に係合させることを特徴とする可動ディスプレイ装置。
【請求項３】
請求項１または２の記載において、前記支点切換機構は、前記上側被軸止部と前記下側被軸止部を互いに逆向きに移動させる切換レバーと、前記切換レバーを動作させる駆動アームとを備えており、前記切換レバーが前記ディスプレイ本体の左右両側にそれぞれ設けられていることを特徴とする可動ディスプレイ装置。
【請求項４】
請求項３の記載において、前記スライド部材と前記支点切換機構を制御する駆動制御手段を備えると共に、前記駆動アームはモータを駆動源として動作されるものであり、前記駆動制御手段は、前記モータを制御して前記ディスプレイ本体の回動支点を前記第１軸支状態と前記第２軸支状態のいずれか一方に切り換えた後に、前記スライド部材を前進するように駆動制御することを特徴とする可動ディスプレイ装置。
【発明の詳細な説明】
【技術分野】
【０００１】
本発明は、シャーシの前方に配置されたディスプレイ本体が傾斜姿勢を変化させるように傾動する可動ディスプレイ装置に係り、特に、ディスプレイ本体を上向きと下向きの両方向に傾動させるチルト機構に関するものである。
【背景技術】
【０００２】
従来より、ＬＣＤ等の表示パネルが搭載されたディスプレイ本体をシャーシの前方に配置し、シャーシの内部に配設したスライド部材を前後方向へ移動することにより、ディスプレイ本体の姿勢を変更可能とした可動ディスプレイ装置が知られている（例えば、特許文献１参照）。
【０００３】
特許文献１に開示された可動ディスプレイ装置では、シャーシに設けられたガイド溝にディスプレイ本体の上端部のガイドピンが摺動可能に係合していると共に、スライド部材の前端部がディスプレイ本体の下端部に回転可能に連結されており、スライド部材が後退位置から前進位置へ移動することにより、ディスプレイ本体が起立姿勢から下端側を前方へ迫り出した後傾姿勢へと変化するようになっている。
【０００４】
このように構成された可動ディスプレイ装置においては、スライド部材の移動量に応じてディスプレイ本体の後傾角度が変化するため、ディスプレイ本体の表示面を搭乗者の見やすい後傾角度に調整することはできるが、太陽光の反射や景色の映り込み等を避けるために、ディスプレイ本体を後傾姿勢だけでなく前傾姿勢にも傾動できるようにした可動ディスプレイ装置が要望されている。
【０００５】
このような可動ディスプレイ装置の一例として、図１２に示すように、ディスプレイ本体１００の上端部をシャーシ１０１に回転可能に軸支すると共に、ディスプレイ本体１００の下端部をスライド部材１０２に回転可能に連結し、このスライド部材１０２を初期位置から前方と後方へ移動することにより、ディスプレイ本体１００を後傾姿勢と前傾姿勢の両方に傾動させることが考えられる。すなわち、スライド部材１０２を初期位置から前方（図１２の左方向）へ移動することにより、ディスプレイ本体１００を実線で示す起立姿勢から破線で示す後傾姿勢へ傾動させることができると共に、スライド部材１０２を初期位置から後方（図１２の右方向）へ移動することにより、ディスプレイ本体１００を起立姿勢から一点鎖線で示す前傾姿勢へと傾動させることができる。
【０００６】
また、他の例として、特許文献２に開示されているように、シャーシの内部に上段側スライド部材と下段側スライド部材とをそれぞれ前後方向へ移動可能に配置し、上段側スライド部材の前端部をディスプレイ本体の上端部に設けた上部ピンに係脱可能に連結すると共に、下段側スライド部材の前端部をディスプレイ本体の下端部に設けた下部ピンに係脱可能に連結し、これら上部ピンと下部ピンをシャーシに設けたガイド溝に摺動自在に係合させた構成の可動ディスプレイ装置が提案されている。このように構成された可動ディスプレイ装置では、上段側スライド部材を後退位置で停止させたまま下段側スライド部材が前進すると、上部ピンが上段側スライド部材との連結部から外れてガイド溝内を下降し、ディスプレイ本体は下部ピンを中心に回転して下端側を前方へ迫り出した後傾姿勢となる。これとは逆に下段側スライド部材を後退位置で停止させたまま上段側スライド部材が前進すると、下部ピンが下段側スライド部材との連結部から外れてガイド溝内を上昇し、ディスプレイ本体は上部ピンを中心に回転して上端側を前方へ迫り出した前傾姿勢となる。
【先行技術文献】
【特許文献】
【０００７】
【特許文献１】特開平１０−５１７１２号公報
【特許文献２】特開２００６−２７６７６９号公報
【発明の概要】
【発明が解決しようとする課題】
【０００８】
しかし、図１２に示した可動ディスプレイ装置では、ディスプレイ本体を前傾姿勢（一点鎖線で示す位置）へ傾動させるとき、ディスプレイ本体がシャーシの上端側を回動支点として下端側を後退させるように移動するため、シャーシの内部にディスプレイ本体の下端側を引き込むためのスペースを確保する必要があり、当該スペースによってシャーシ内の部品配置スペースが圧迫されてしまうという問題があった。
【０００９】
また、特許文献２に記載された可動ディスプレイ装置では、シャーシの内部に上段側スライド部材を動作させる駆動機構と下段側スライド部材を動作させる駆動機構とを別々に配設する必要があるため、これら２つの駆動機構によってシャーシ内のスペースが圧迫されてしまうと問題があった。
【００１０】
本発明は、このような従来技術の実情に鑑みてなされたもので、その目的は、シャーシ内のスペースを圧迫することなく、ディスプレイ本体の上向きと下向き両方向への傾動動作を行うことができる可動ディスプレイ装置を提供することにある。
【課題を解決するための手段】
【００１１】
上記の目的を達成するために、本発明の可動ディスプレイ装置は、シャーシと、前記シャーシの内部に前後方向へスライド可能に支持されたスライド部材と、前記シャーシの前方に配置されたディスプレイ本体とを備え、前記スライド部材のスライド動作に連動して前記ディスプレイ本体が傾斜姿勢を変化させるように傾動する可動ディスプレイ装置において、前記シャーシの上側に設けられた上部軸支部と、前記シャーシの下側に設けられた下部軸支部と、前記ディスプレイ本体の上側に設けられて前記上部軸支部に係脱可能な上側被軸止部と、前記ディスプレイ本体の下側に設けられて前記下部軸支部に係脱可能な下側被軸止部と、前記ディスプレイ本体の回動支点を第１軸支状態と第２軸支状態に切り換え可能な支点切換機構とを備えると共に、前記上側被軸止部と前記下側被軸止部の中間位置で前記スライド部材の前端部が前記ディスプレイ本体に回転可能に連結されており、前記ディスプレイ本体は、前記第１軸支状態で前記下側被軸止部を前記下部軸支部から離脱させた状態で前記上側被軸止部を前記上部軸支部に係合させ、前記第２軸支状態で前記上側被軸止部を前記上部軸支部から離脱させた状態で前記下側被軸止部を前記下部軸支部に係合させるように構成した。
【００１２】
このように構成された可動ディスプレイ装置では、ディスプレイ本体の回動支点を第１軸支状態と第２軸支状態に切り換えるだけで、スライド部材の前後方向へのスライド移動に伴ってディスプレイ本体が上向きまたは下向きの姿勢に傾動するため、シャーシ内の部品配置スペースが圧迫されてしまうことを防止しつつ、ディスプレイ本体の上向きと下向き両方向への傾動動作を行うことができる。
【００１３】
上記の構成において、支点切換機構は中間状態を経由して第１軸支状態と第２軸支状態に切り換え可能となっており、この中間状態でディスプレイ本体が上側被軸止部を上部軸支部に係合させると共に下側被軸止部を下部軸支部に係合させるようになっていると、ディスプレイ本体の傾倒方向の切り換え動作をスムーズかつ確実に行うことができて好ましい。
【００１４】
また、上記の構成において、ディスプレイ本体の回動支点を第１軸支状態と第２軸支状態に切り換え可能な支点切換機構が、上側被軸止部と下側被軸止部を互いに逆向きに移動させる切換レバーと、切換レバーを動作させる駆動アームとを備えており、切換レバーがディスプレイ本体の左右両側にそれぞれ設けられていると、支点切換機構の切換動作を安定させることができて好ましい。
【００１５】
この場合において、ユーザー（搭乗者）の手動操作によって駆動アームを動作するようにしても良いが、スライド部材と支点切換機構を制御する駆動制御手段を備えると共に、駆動アームがモータを駆動源として動作されるものであり、駆動制御手段が、このモータを制御してディスプレイ本体の回動支点を第１軸支状態と第２軸支状態のいずれか一方に切り換えた後に、スライド部材を前進するように駆動制御するものであることが好ましい。
【発明の効果】
【００１６】
本発明の可動ディスプレイ装置によれば、シャーシ内のスペースを圧迫することなく、ディスプレイ本体の上向きと下向き両方向への傾動動作を行うことができる。
【図面の簡単な説明】
【００１７】
【図１】本発明の実施形態例に係る可動ディスプレイ装置の概略構成を示す斜視図である。
【図２】該可動ディスプレイ装置に備えられる支点切換機構の第１軸支状態を背面側から見た説明図である。
【図３】該支点切換機構の中間状態を背面側から見た説明図である。
【図４】該支点切換機構の第２軸支状態を背面側から見た説明図である。
【図５】該可動ディスプレイ装置に備えられるディスプレイ本体の起立状態を示す説明図である。
【図６】該ディスプレイ本体の正チルト動作を示す説明図である。
【図７】ディスプレイ本体を後傾姿勢に移行させた状態を示す説明図である。
【図８】該ディスプレイ本体の逆チルト動作を示す説明図である。
【図９】該可動ディスプレイ装置に備えられる制御駆動手段のブロック図である。
【図１０】該制御駆動手段による正チルト時の動作手順を示すフローチャートである。
【図１１】該制御駆動手段による逆チルト時の動作手順を示すフローチャートである。
【図１２】従来提案に係る可動ディスプレイ装置の概略構成を示す説明図である。
【発明を実施するための形態】
【００１８】
発明の実施の形態について図面を参照して説明すると、図１に示すように、本発明の実施形態例に係る可動ディスプレイ装置は、前面を開口する箱形形状のシャーシ１と、シャーシ１の内部に前後方向（Ｙ１−Ｙ２方向）へスライド可能に支持されたスライド部材２と、シャーシ１の前面に一体化された枠状のエスカッション３と、エスカッション３の前方に配置されたディスプレイ本体４と、ディスプレイ本体４の内部に組み込まれた支点切換機構５等を備えて構成されている。
【００１９】
スライド部材２は全体的に平面視コの字状に形成されており、このスライド部材２はモータ６を駆動源としてシャーシ１の底面上を前後方向へ往復移動する。モータ６の回転量と回転方向は後述する駆動制御部（図９参照）によって制御され、この駆動制御部にはスライド部材２の前後方向の位置を検出する位置検出スイッチの検出信号等が入力されるようになっている。スライド部材２は左右方向（Ｘ１−Ｘ２方向）の前端部にそれぞれ軸孔２ａを有しており、これら軸孔２ａはディスプレイ本体４の両側面中央付近に設けられた支軸４ａに回転自在に連結されている。
【００２０】
エスカッション３はシャーシ１の前面開口よりも大きめに形成されており、このエスカッション３の下部側はシャーシ１の底面よりも下方へ突出している。エスカッション３の両内側面における上側には溝状の上部ガイド部３ａ（上部軸支部）が設けられており、これら上部ガイド部３ａはシャーシ１の上下方向（Ｚ１−Ｚ２方向）に沿って延びている。また、エスカッション３の両内側面における下側には溝状の下部ガイド部３ｂ（下部軸支部）が設けられており、これら下部ガイド部３ｂもシャーシ１の上下方向に沿って延びているが、その長さは上部ガイド部３ａに比べて短寸なものとなっている。
【００２１】
ディスプレイ本体４にはＬＣＤ等の図示せぬ表示パネルが搭載されており、この表示パネルの表示面はディスプレイ本体４の前面に露出している。また、表示パネルの背面側には支点切換機構５の構成部品が配置されている。この支点切換機構５によって、シャーシ１（エスカッション３）に対するディスプレイ本体４の回動支点が後述する第１軸支状態と第２軸支状態に切り換えられるようになっている。
【００２２】
図１〜図４に示すように、支点切換機構５は、駆動源であるモータ７と、モータ７の回転軸に固着されたウォーム８に噛合するギア列９と、ギア列９の最終段ギアに噛合されて回転可能な一対の駆動アーム１０と、各駆動アーム１０に連結されて上下方向へ移動可能な一対の切換レバー１１と、各切換レバー１１の上端部に連結されて左右方向へ移動可能な一対の上側中継レバー１２と、各上側中継レバー１２に固着されて一体的に移動する一対の上側可動ピン１３（上側被軸止部）と、各切換レバー１１の下端部に連結されて左右方向へ移動可能な一対の下側中継レバー１４と、各下側中継レバー１４に固着されて一体的に移動する一対の下側可動ピン１５（下側被軸止部）とによって主に構成されている。
【００２３】
モータ７はディスプレイ本体４の下部中央付近に搭載されており、このモータ７の回転量と回転方向も前述した駆動制御部によって制御され、駆動制御部には切換レバー１１の上下方向の位置を検出する位置検出スイッチ（図９参照）の検出信号も入力されるようになっている。
【００２４】
一対の駆動アーム１０はギア列９を挟んだ左右位置に配置されており、これら駆動アーム１０は軸部１６を中心に互いに逆向きに回転するようになっている。駆動アーム１０の外側端部は切換レバー１１の下端部に連結されており、この連結部を介して駆動アーム１０の回転運動が切換レバー１１の直線運動に伝達される。
【００２５】
一対の切換レバー１１はディスプレイ本体４の左右両側に上下方向（Ｚ１−Ｚ２方向）へ移動動可能に支持されており、これら切換レバー１１の上下両端部には階段状のカム孔１１ａ，１１ｂが形成されている。上方のカム孔１１ａには上側中継レバー１２に設けたピン１２ａが挿入されており、下方のカム孔１１ｂには下側中継レバー１４に設けたピン１４ａが挿入されている。これにより、切換レバー１１の上下方向の直線運動がカム孔１１ａ，１１ｂとピン１２ａ，１４ａを介して上側中継レバー１２と下側中継レバー１４の左右方向の直線運動に変換される。
【００２６】
一対の上側可動ピン１３は上側中継レバー１２と一体的に左右方向へ移動し、これら上側可動ピン１３はエスカッション３に設けられた上部ガイド部３ａと係脱可能となっている。また、一対の下側可動ピン１５は下側中継レバー１４と一体的に左右方向へ移動し、これら下側可動ピン１５はエスカッション３に設けられた下部ガイド部３ｂと係脱可能となっている。
【００２７】
すなわち、図２に示すように、切換レバー１１が最も上方位置にあるとき、上側可動ピン１３はディスプレイ本体４の側面から突出しているが、下側可動ピン１５はディスプレイ本体４の側面の内方へ没しており、ディスプレイ本体４は下側可動ピン１５を下部ガイド部３ｂから離脱させたまま上側可動ピン１３を上部ガイド部３ａに係合させた第１軸支状態となっている。
【００２８】
この状態からモータ７の回転によって切換レバー１１が最上位置から下方（Ｚ２方向）へ移動すると、図３に示すように、上側中継レバー１２のピン１２ａが上方のカム孔１１ａの垂直部分を移動するため、上側可動ピン１３はディスプレイ本体４の側面から突出した状態を維持するが、下側中継レバー１４のピン１４ａが下方のカム孔１１ｂの傾斜部分を移動するため、下側可動ピン１５がディスプレイ本体４の側面から突出し、ディスプレイ本体４は上側可動ピン１３を上部ガイド部３ａに係合させると共に下側可動ピン１５を下部ガイド部３ｂに係合させた状態（これを中間状態と呼ぶ）となる。
【００２９】
さらにモータ７が回転して切換レバー１１が最下位置まで移動すると、図４に示すように、上側中継レバー１２のピン１２ａが上方のカム孔１１ａの垂直部分を越えて傾斜部分を移動するため、上側可動ピン１３はディスプレイ本体４の側面の内方へ没した位置へ移動し、下側中継レバー１４のピン１４ａが下方のカム孔１１ｂの傾斜部分を越えて垂直部分を移動するため、下側可動ピン１５はディスプレイ本体４の側面から突出した状態を維持し、ディスプレイ本体４は上側可動ピン１３を上部ガイド部３ａから離脱させたままた下側可動ピン１５を下部ガイド部３ｂに係合させた第２軸支状態となる。
【００３０】
このように支点切換機構５によってディスプレイ本体４の回動支点を第１軸支状態と第２軸支状態に切り換えることにより、図５〜図８に示すように、スライド部材２の前後方向へのスライド移動に伴ってディスプレイ本体４を前傾姿勢だけでなく後傾姿勢に傾動することができる。
【００３１】
図５はシャーシ１の前面開口がディスプレイ本体４によって塞がれたクローズ状態を示しており、ディスプレイ本体４はエスカッション３の前方で起立姿勢に保持されている。このとき、スライド部材２は後退方向（Ｙ２方向）の末端位置にあり、シャーシ１に対するディスプレイ本体４の軸支状態は、上側可動ピン１３が上部ガイド部３ａの上端部と係合すると共に、下側可動ピン１５が下部ガイド部３ｂの下端部と係合する中間状態となっている。
【００３２】
この状態で支点切換機構５の作動により下側可動ピン１５と下部ガイド部３ｂの係合を解除した後、すなわち、ディスプレイ本体４を中間状態から第１軸支状態に切り換えた後、スライド部材２を前進方向（Ｙ１方向）に移動させると、図６に示すように、上側可動ピン１３が上部ガイド部３ａ内を下方に向かって摺動し、ディスプレイ本体４は起立姿勢から下端側を前方へ迫り出した後傾姿勢へと変化する。そして、スライド部材２が前進方向の末端位置まで移動すると、図７に示すように、上側可動ピン１３は上部ガイド部３ａの下端部まで移動し、ディスプレイ本体４は最大後傾角度まで傾動してオープン状態となる。
【００３３】
一方、ディスプレイ本体４が起立姿勢に保持されているとき、支点切換機構５の作動により上側可動ピン１３と上部ガイド部３ａの係合を解除した後、すなわち、ディスプレイ本体４を中間状態から第２軸支状態に切り換えた後、スライド部材２を前進方向（Ｙ１方向）に移動させると、図８に示すように、下側可動ピン１５が下部ガイド部３ｂ内を上方に向かって摺動し、ディスプレイ本体４は起立姿勢から上端側を前方へ迫り出した前傾姿勢へと変化する。
【００３４】
次に、前述した駆動制御部によるスライド部材２の駆動用モータ６と支点切換機構５の駆動用モータ７の駆動制御について、図９〜図１１を参照しつつ詳細に説明する。
【００３５】
図９に示すように、この駆動制御部２０は、正チルト用キー２１と逆チルト用キー２２と第１〜第４位置検出スイッチ２３，２４，２５，２６との出力信号を取り込み、これら各信号に基づいてスライド部材２の駆動用モータ６と支点切換機構５の駆動用モータ７の回転量と回転方向を制御する。
【００３６】
ここで、正チルトとは、ディスプレイ本体４が下端側を前方へ迫り出す後傾姿勢へ変化する上向きの傾倒動作（図６参照）であり、逆チルトとは、ディスプレイ本体４が下端側を後方へ引き込む前傾姿勢へ変化する下向きの傾倒動作（図８参照）であり、これら両方向の動作は正チルト用キー２１と逆チルト用キー２２をユーザーが操作することで選択的に指示される。なお、正チルト用キー２１と逆チルト用キー２２は、ディスプレイ本体４の前面周縁部に配置したスイッチ部品の操作部をユーザーが押圧操作するものや、あるいは、タッチ式表示パネルの表示画面上に表示されたアイコンをユーザーがタッチするものであっても良い。
【００３７】
第１および第２位置検出スイッチ２３，２４は、スライド部材２の前後方向における移動端部の位置を検出するものであり、例えば、スライド部材２の移動方向の両端部に一対のプッシュスイッチを配置し、これらプッシュスイッチをスライド部材２で押圧するように構成すれば良く、スイッチの代わりにエンコーダや可変抵抗器を用いることも可能である。
【００３８】
第３および第４位置検出スイッチ２５，２６は、切換レバー１１の上下方向における移動端部の位置を検出するものであり、例えば、切換レバー１１の移動方向の両端部に一対のプッシュスイッチを配置し、これらプッシュスイッチを切換レバー１１で押圧するように構成すれば良く、スイッチの代わりにエンコーダや可変抵抗器を用いることも可能である。なお、前述したように、切換レバー１１が上下方向に往復移動すると、それに伴ってディスプレイ本体４の側面に対する上側可動ピン１３と下側可動ピン１５の突出状態が変化するようになってため、これら上側可動ピン１３と下側可動ピン１５の左右方向の移動を位置検出スイッチ２４で直接検出するようにしても良い。
【００３９】
図１０は正チルト動作を実行する手順を示すフローチャートであり、同図に示すように、まず、ユーザーが正チルト用キー２１を操作すると（ステップＳ１）、駆動制御部２０は第１位置検出スイッチ２３の出力信号がオンになったか否かを判定する（ステップＳ２）。すなわち、スライド部材２が後退方向の末端位置にあれば第１位置検出スイッチ２３からオン信号が出力されるが、スライド部材２が後退位置の手前にあると第１位置検出スイッチ２３からオン信号が出力されないため、ステップＳ２でＮｏの場合は、モータ６を逆転駆動してスライド部材２が後退方向の末端位置まで移動させた後（ステップＳ３）、第１位置検出スイッチ２３からオン信号が出力された時点でモータ６を停止する。
【００４０】
ステップＳ２でＹｅｓの場合はステップＳ４へ移行し、支点切換機構５の駆動用モータ７を正転駆動して切換レバー１１を上方へ移動させた後、第３位置検出スイッチ２５の出力信号がオンになったか否かを判定し（ステップＳ５）、第３位置検出スイッチ２５の出力信号がオンになった時点でモータ７を停止する（ステップＳ６）。すなわち、切換レバー１１が上方向の末端位置まで移動することによって第３位置検出スイッチ２５がオン動作され、当該位置で下側可動ピン１５がディスプレイ本体４の側面から内方へ後退するため、ディスプレイ本体４は下側可動ピン１５を下部ガイド部３ｂから離脱させたまま上側可動ピン１３を上部ガイド部３ａに係合させた第１軸支状態となる（図２参照）。
【００４１】
次に、ステップＳ７へ移行してスライド部材２の駆動用モータ６を正転駆動し、スライド部材２を後退方向の末端位置から前進方向へ移動させる。これにより、ディスプレイ本体４の支軸４ａが前方へ押圧され、上側可動ピン１３が上部ガイド部３ａ内を下方に向かって摺動するため、ディスプレイ本体４は起立姿勢から下端側を前方へ迫り出した後傾姿勢へと変化する（図６参照）。
【００４２】
次に、ステップＳ８へ移行して第２位置検出スイッチ２４からオン信号が出力されたか否かを判定し、第２位置検出スイッチ２４がオン動作した時点でモータ６を停止する（ステップＳ９）。すなわち、スライド部材２が前進方向の末端位置まで移動することによって第２位置検出スイッチ２４がオン動作され、当該位置でディスプレイ本体４は最大後傾角度に移行してオープン状態となり、この時点で正チルト動作が完了する。
【００４３】
図１１は逆チルト動作を実行する手順を示すフローチャートであり、この逆チルト動作は、支点切換機構５の駆動用モータ７の回転方向が相違する点を除くと正チルト動作と基本的に同様である。
【００４４】
すなわち、ユーザーが逆チルト用キー２２を操作すると（ステップＳ１０）、第１位置検出スイッチ２３からオン信号が出力されたか否かを判定し（ステップＳ１１）、ステップＳ１１でＮｏの場合は、モータ６を正転駆動してスライド部材２を後退方向の末端位置まで移動させた後（ステップＳ１２）、第１位置検出スイッチ２３からオン信号が出力された時点でモータ６を停止する。
【００４５】
ステップＳ１１でＹｅｓの場合はステップＳ１３へ移行し、支点切換機構５の駆動用モータ７を正チルト動作時と逆向きに駆動して切換レバー１１を下方へ移動させた後、第４位置検出スイッチ２６の出力信号がオンになったか否かを判定し（ステップＳ１４）、第４位置検出スイッチ２６の出力信号がオンになった時点でモータ７を停止する（ステップＳ１５）。すなわち、切換レバー１１が下方向の末端位置まで移動することによって第４位置検出スイッチ２６がオン動作され、当該位置で上側可動ピン１３がディスプレイ本体４の側面から後退するため、ディスプレイ本体４は上側可動ピン１３を上部ガイド部３ａから離脱させたまま下側可動ピン１５を下部ガイド部３ｂに係合させた第２軸支状態となる（図４参照）。
【００４６】
次に、ステップＳ１６へ移行してスライド部材２の駆動用モータ６正転駆動し、スライド部材２を後退方向の末端位置から前進方向へ移動させる。これにより、ディスプレイ本体４の支軸４ａが前方へ押圧され、下側可動ピン１５が下部ガイド部３ｂ内を上方に向かって摺動するため、ディスプレイ本体４は起立姿勢から上端側を前方へ迫り出した前傾姿勢へと変化する（図８参照）。
【００４７】
次に、ステップＳ１７へ移行して第２位置検出スイッチ２４からオン信号が出力されたか否かを判定し、第２位置検出スイッチ２４がオン動作した時点でモータ６を停止する（ステップＳ１８）。すなわち、スライド部材２が前進方向の末端位置まで移動することによって第２位置検出スイッチ２４がオン動作され、当該位置でディスプレイ本体４は最大前傾角度となり、この時点で逆チルト動作が完了する。
【００４８】
なお、正チルト動作によって後傾姿勢となったディスプレイ本体４を逆チルト動作する場合や、逆チルト動作によって前傾姿勢となったディスプレイ本体４を正チルト動作する場合、ディスプレイ本体４の回動支点が第１軸支状態から第２軸支状態へ、または第２軸支状態から第１軸支状態へと切り換えられるが、その際に、支点切換機構５は中間状態（図３参照）を経由して第１軸支状態と第２軸支状態に切り換えることになる。すなわち、起立姿勢にあるときのディスプレイ本体４は、上側可動ピン１３を上部ガイド部３ａに係合させると共に下側可動ピン１５を下部ガイド部３ｂに係合させた中間状態（図３参照）となっているため、ディスプレイ本体４の回動支点が第１軸支状態と第２軸支状態との間で切り換えられる途中で、上側可動ピン１３と下側可動ピン１５の両方が対応するガイド部３ａ，３ｂから脱落してしまうことはなく、ディスプレイ本体４を正逆両方向に確実にチルト動作することができる。
【００４９】
以上説明したように、本実施形態例に係る可動ディスプレイ装置では、ディスプレイ本体４に搭載した支点切換機構５によってディスプレイ本体４の回動支点を第１軸支状態と第２軸支状態に切り換えるだけで、スライド部材２の前後方向へのスライド移動に伴ってディスプレイ本体４が上向きまたは下向きの姿勢に傾動するため、シャーシ１内の部品配置スペースが圧迫されてしまうことを防止しつつ、ディスプレイ本体４の上向きと下向き両方向への傾動動作を行うことができる。
【００５０】
また、本実施形態例では、支点切換機構５は中間状態を経由して第１軸支状態と第２軸支状態に切り換え可能となっており、この中間状態でディスプレイ本体４が上側可動ピン１３を上部ガイド部３ａに係合させると共に下側可動ピン１５を下部ガイド部３ｂに係合させるようになっているため、ディスプレイ本体４の傾倒方向の切り換え動作をスムーズかつ確実に行うことができる。
【００５１】
また、本実施形態例では、支点切換機構５が、上側可動ピン１３と下側可動ピン１５を互いに逆向きに移動させる切換レバー１１と、この切換レバー１１を動作させる駆動アーム１０とを備えており、切換レバー１１がディスプレイ本体４の左右両側にそれぞれ設けられているため、支点切換機構５の切換動作を安定させることができる。
【００５２】
なお、上記実施形態例では、支点切換機構５の駆動アーム１０をモータ７を駆動源として回動することにより、上側可動ピン１３と下側可動ピン１５の出入動作を行うようにしているが、例えば、駆動アーム１０の近傍に偏心板を回転自在に配設し、この偏心板をディスプレイ本体４の外部からユーザーが手動操作することによって駆動アームを回動するようにしても良い。
【００５３】
また、上記実施形態例では、ディスプレイ本体側に可動ピンを設けてエスカッション側にガイド部を設けたが、これとは逆に、ディスプレイ本体側にガイド部を設けてエスカッション側に可動ピンを設けても良い。
【００５４】
また、上記実施形態例では、ディスプレイ本体の可動ピンがエスカッションに対して上下方向にスライド可能に軸止されると共に、ディスプレイ本体の中間部がスライド部材の前端部に対して上下方向にスライド不能に軸支されているが、これとは逆に、ディスプレイ本体の中間部がスライド部材の前端部に対して上下方向にスライド可能に軸支されると共に、ディスプレイ本体の可動ピンがエスカッションに対して上下方向にスライド不能に軸止されるようにしても良い。
【符号の説明】
【００５５】
１  シャーシ
２  スライド部材
２ａ  軸孔
３  エスカッション
３ａ  上部ガイド部（上部軸支部）
３ｂ  下部ガイド部（下部軸支部）
４  ディスプレイ本体
４ａ  支軸
５  支点切換機構
６  モータ
７  モータ
８  ウォーム
９  ギア列
１０  駆動アーム
１１  切換レバー
１１ａ，１１ｂ  カム孔１
１２  上側中継レバー
１２ａ  ピン
１３  上側可動ピン（上側被軸止部）
１４  下側中継レバー
１４ａ  ピン
１５  下側可動ピン（下側被軸止部）
１６  軸部
２０  駆動制御部
２１  正チルト用キー
２２  逆チルト用キー
２３  第１位置検出スイッチ
２４  第２位置検出スイッチ
２５  第３位置検出スイッチ
２６  第４位置検出スイッチ
【図１】
0006499062.tif 000002
【図２】
0006499062.tif 000003
【図３】
0006499062.tif 000004
【図４】
0006499062.tif 000005
【図５】
0006499062.tif 000006
【図６】
0006499062.tif 000007
【図７】
0006499062.tif 000008
【図８】
0006499062.tif 000009
【図９】
0006499062.tif 000010
【図１０】
0006499062.tif 000011
【図１１】
0006499062.tif 000012
【図１２】
0006499062.tif 000013